(57)【要約】【課題】面白みや多様性を飛躍的に高めることにより十分な装飾効果を得るとともに、豆電球と同じ使い勝手を実現して利便性及び汎用性を高める。【解決手段】赤色，緑色及び青色の発光ダイオード２ｒ，２ｇ，２ｂを備える発光部２と、予め設定した発色プログラムＰｃに従って赤色，緑色，青色の各発光ダイオード２ｒ，２ｇ，２ｂの一又は二以上を選択して順次発光させることにより発光部２の発色を変化させる制御部３と、発光部２及び制御部３を収容し、かつ少なくとも一部に透明部又は半透明部を有するバルブ部５及びランプソケット６０に装着して制御部３に給電する口金部６を有するハウジング部４を具備する。【選択図】図１
2004207043.tif 000002
【特許請求の範囲】
【請求項１】
赤色，緑色及び青色の発光ダイオードを備える発光部と、予め設定した発色プログラムに従って赤色，緑色，青色の各発光ダイオードの一又は二以上を選択して順次発光させることにより前記発光部の発色を変化させる制御部と、前記発光部及び前記制御部を収容し、かつ少なくとも一部に透明部又は半透明部を有するバルブ部及びランプソケットに装着して前記制御部に給電する口金部を有するハウジング部を具備することを特徴とするイルミネーション発光器。
【請求項２】
前記発光ダイオード及びＩＣチップによる前記制御部を実装した基板ユニットを備え、この基板ユニットを前記口金部の内側に固定してなることを特徴とする請求項１記載のイルミネーション発光器。
【発明の詳細な説明】
【０００１】
【発明の属する技術分野】
本発明は、クリスマスツリー等のイルミネーションに用いて好適なイルミネーション発光器に関する
【０００２】
【従来の技術】
従来、クリスマスツリー等のイルミネーションに用いるイルミネーション電球は知られている。このイルミネーション電球は、通電によりエレメントが発光する豆電球を用いたものである。
【０００３】
一方、このような豆電球に代わって、ＬＥＤ（発光ダイオード）を用いたＬＥＤ電球も、例えば、特開２００２−２４５８１９号公報で知られている。このＬＥＤ電球は、口金の内部に口金を通して通電されるＬＥＤを設け、このＬＥＤをバルブとして形成される透明もしくは半透明のモールド材でモールド密閉するとともに、モールド材を口金にも充填してバルブと口金を一体化し、内部に空洞の無い電球に仕上げたものであり、同種の電球としては、その他、特開平１１−１７７１４９号公報，特開２００１−２４３８０９号公報等で知られている。
【特許文献１】
特開２００２−２４５８１９号公報
【特許文献２】
特開平１１−１７７１４９号公報
【特許文献３】
特開２００１−２４３８０９号公報
【０００４】
【発明が解決しようとする課題】
しかし、上述したイルミネーション電球（豆電球）及びＬＥＤ電球は、いずれも通電により単に明るく発光するのみであるため、暗闇ではある程度の装飾効果は得られるものの、多数の電球を単に連続的に点灯させたり或いは点滅させる使用方法に限られるため、変化が少なく、面白みや多様性に欠けるとともに、十分な装飾効果を得れない難点があった。
【０００５】
本発明は、このような従来の技術に存在する課題を解決したものであり、特に、面白みや多様性を飛躍的に高めることにより十分な装飾効果を得れるとともに、一般的な電球と同じ使い勝手を実現して利便性及び汎用性を高めたイルミネーション発光器の提供を目的とする。
【０００６】
【課題を解決するための手段及び実施の形態】
本発明に係るイルミネーション発光器１は、赤色，緑色及び青色の発光ダイオード２ｒ，２ｇ，２ｂを備える発光部２と、予め設定した発色プログラムＰｃに従って赤色，緑色，青色の各発光ダイオード２ｒ，２ｇ，２ｂの一又は二以上を選択して順次発光させることにより発光部２の発色を変化させる制御部３と、発光部２及び制御部３を収容し、かつ少なくとも一部に透明部又は半透明部を有するバルブ部５及びランプソケット６０に装着して制御部３に給電する口金部６を有するハウジング部４を具備することを特徴とする。
【０００７】
この場合、好適な実施の形態により、発光ダイオード２ｒ，２ｇ，２ｂ及びＩＣチップ１１による制御部３を実装した基板ユニット１０を備え、この基板ユニット１０を口金部６の内側に固定して構成することができる。
【０００８】
これにより、イルミネーション発光器１は、発光部２が発光するも、内蔵する制御部３に格納された発色プログラムＰｃに従って発光部２の発色が変化する。発光部２の発色は、七色に変化させることができ、例えば、癒し効果のある発色パターン或いは音楽のメロディやリズムに合わせた発色パターン等を任意に設定することができる。
【０００９】
【実施例】
次に、本発明に係る好適な実施例を挙げ、図面に基づき詳細に説明する。
【００１０】
まず、本実施例に係るイルミネーション発光器１の構成について、図１〜図４を参照して説明する。
【００１１】
図１は、イルミネーション発光器１の内部構造を示す。４はハウジング部であり、バルブ部５と口金部６からなる。バルブ部５は、少なくとも一部に透明部又は半透明部を設けて形成する。実施例は、全体を乳白色の合成樹脂によりカプセルを二分割した形状に形成した。なお、必要によりバルブ部５には、光を乱射させることによりナチュラルな発色の実現や演色効果をより高める乱射レンズ等を一体形成或いは取付けることもできる。また、口金部６は、一般的な電球に用いている公知の口金により構成することができ、ランプソケット６０（図５参照）にネジ込むことにより装着できる負極側の口金本体部６ｎと、この口金本体部６ｎの端部に設けた正極側の接触端子部６ｐからなる。なお、この接触端子部６ｐと口金本体部６ｎは絶縁部６ａによって電気的に絶縁されている。
【００１２】
一方、口金部６の内部には基板ユニット１０を収容する。基板ユニット１０は、図２に示すように、メイン基板２５と、このメイン基板２５の先端部に固定したサブ基板２６を備える。そして、メイン基板２５の上面にはＩＣチップ１１を実装するとともに、メイン基板２５の後端部からは図１に示す一対の接続線２７ｐ，２７ｎを導出する。この場合、一方の接続線２７ｐは正極側、他方の接続線２７ｎは負極側となる。ＩＣチップ１１は、ＭＰＵ（マイクロ・プロセッサ・ユニット）１１ｃ（図３参照）を含み、このＭＰＵ１１ｃは、メイン基板２５に実装した図に現れない抵抗等の他の電子部品と共に制御部３を構成する。また、サブ基板２６の前面には、赤色の発光ダイオード２ｒ，緑色の発光ダイオード２ｇ及び青色の発光ダイオード２ｂを有するダイオード基板２８を実装する。
【００１３】
図３は、基板ユニット１０の電気回路を示し、Ｒｒ，Ｒｇ及びＲｂは発光ダイオード２ｒ，２ｇ及び２ｂにそれぞれ直列接続した保護抵抗を示す。一方、ＭＰＵ１１ｃは発色プログラムＰｃを格納したＲＯＭ等の不揮発性メモリを備える。図４に、発色プログラムＰｃにより制御される発色パターンの一例を示す。同図の発色パターンは、最初に、発光ダイオード（ＬＥＤ）２ｒ（Ｒ）が一定時間点灯し、この後、発光ダイオード２ｒ（Ｒ）と２ｇ（Ｇ）が一定時間点灯し、この後、発光ダイオード２ｇ（Ｇ）が一定時間点灯し、この後、発光ダイオード２ｇ（Ｇ）と２ｂ（Ｂ）が一定時間点灯し、この後、発光ダイオード２ｂ（Ｂ）が一定時間点灯し、この後、発光ダイオード２ｂ（Ｂ）と２ｒ（Ｒ）が一定時間点灯し、この後、発光ダイオード２ｒ（Ｒ），２ｂ（Ｂ）及び２ｒ（Ｒ）が一定時間点灯する。また、この後は、以上列挙した発色パターンと逆方向の発色パターンにより点灯し、以後、この発色パターンが繰返される。
【００１４】
この場合、発光ダイオード２ｒ（Ｒ）と２ｇ（Ｇ）が点灯することにより発色はイエロー（Ｙ）となり、発光ダイオード２ｇ（Ｇ）と２ｂ（Ｂ）が点灯することにより発色はシアン（Ｃ）となり、発光ダイオード２ｒ（Ｒ）と２ｂ（Ｂ）が点灯することにより発色はマゼンタ（Ｍ）となり、全ての発光ダイオード２ｒ（Ｒ），２ｂ（Ｂ）及び２ｒ（Ｒ）が点灯することにより発色はホワイト（Ｗ）となる。したがって、このような発色パターンで発色させることにより、虹色に含まれる七色に変化させることができる。また、各発色を０．５〔ｓｅｃ〕間隔で順次点灯させたり、各発色を１〔ｓｅｃ〕点灯させ、かつ強弱を付すことにより色を順次渡していくこともできるなど、発色パターンは任意に設定することができる。
【００１５】
そして、基板ユニット１０を口金部６に収容する際には、一方の接続線２７ｐを接触端子部６ｐに内側から接続するとともに、他方の接続線２７ｎを口金本体部６ｎの内面に接続する。この場合、実際の製造においては、予め、接続線２７ｐ及び２７ｎの一端を、接触端子部６ｐ及び口金本体部６ｎに接続しておき、口金部６から外に導出させた接続線２７ｐ及び２７ｎの他端を、基板ユニット１０に接続してもよい。一方、図１に示すように、基板ユニット１０を口金部６の内部に収容したなら、さらに、口金部６の内部に充填材（固定材）２９を流し込んで基板ユニット１０を固定する。
【００１６】
この後、口金部６の開口にバルブ部５の開口を取付ける。この場合、口金部６の開口とバルブ部５の開口は、固着式であってもよいし着脱式であってもよい。さらに、着脱式の場合には、圧入式，ネジ込み式等の各種着脱方式を用いることができる。
【００１７】
次に、本実施例に係るイルミネーション発光器１の使用方法及び動作について、図１〜図６を参照して説明する。
【００１８】
イルミネーション発光器１の代表的な使用例としては、図６に示すクリスマスツリーＴに使用するイルミネーションを挙げることができる。この場合、多数のイルミネーション発光器１…を用意するとともに、図５に示す電源ユニット５０を用意する。電源ユニット５０は、直流電源部３０と、この直流電源部３０から導出される給電ケーブル５２を備える。直流電源部３０は、商用交流電源のＡＣ１００〔Ｖ〕が入力し、直流電圧３〔Ｖ〕を給電ケーブル５２に出力する一般的なＡＣアダプタを使用できる。なお、直流電源部３０としては、このようなＡＣアダプタをはじめ、電池，携帯バッテリ，車載バッテリ等の各種電源を使用することができる。また、給電ケーブル５２は、図６に示すクリスマスツリーＴの周りに複数回巻くことができる長さの主ケーブル部５２ｍと、この主ケーブル部５２ｍの中途に所定間隔おきに接続した分岐ケーブル部５２ｓ…からなり、各分岐ケーブル部５２ｓ…の先端には、ランプソケット６０…を接続する。
【００１９】
一方、各ランプソケット６０…には、図５に示すように、本実施例に係るイルミネーション発光器１…の口金部６…をネジ込むことにより装着する。そして、イルミネーション発光器１…を装着した給電ケーブル５２を、図６に示すように、クリスマスツリーＴの周部に複数回巻き付ける。これにより、直流電源部３０から給電ケーブル５２に対して給電を行えば、各イルミネーション発光器１…の発光部２…は、各イルミネーション発光器１…毎に設定された発色パターンにより点灯する。なお、イルミネーション発光器１の用途としては、その他、店舗のウィンドディスプレイや街路樹のイルミネーション、さらにはアクセサリ，玩具，釣具（集魚灯）等の任意の用途に手軽に使用することができる。
【００２０】
このような本実施例に係るイルミネーション発光器１によれば、発色プログラムＰｃにより任意に設定された発色パターンにより発色が変化するため、面白みや多様性を飛躍的に高めることができ、十分な装飾効果を得ることができる。また、イルミネーション発光器１は、口金部６を有するため、既に使用している豆電球等と交換するのみでそのまま使用することができ、一般的な豆電球と同じ使い勝手を実現して利便性及び汎用性を高めることができる。
【００２１】
以上、実施例について詳細に説明したが、本発明はこのような実施例に限定されるものではなく、細部の構成，形状，素材，数量，数値，手法等において、本発明の要旨を逸脱しない範囲で任意に変更，追加，削除することができる。
【００２２】
【発明の効果】
このように、本発明に係るイルミネーション発光器は、赤色，緑色及び青色の発光ダイオードを備える発光部と、予め設定した発色プログラムに従って赤色，緑色，青色の各発光ダイオードの一又は二以上を選択して順次発光させることにより発光部の発色を変化させる制御部と、発光部及び制御部を収容し、かつ少なくとも一部に透明部又は半透明部を有するバルブ部及びランプソケットに装着して制御部に給電する口金部を有するハウジング部を具備するため、次のような顕著な効果を奏する。
【００２３】
（１）  発色プログラムにより任意に設定された発色パターンにより発色が変化するため、面白みや多様性を飛躍的に高めることができ、十分な装飾効果を得ることができる。
【００２４】
（２）  口金部を有するため、既に使用している豆電球等と交換するのみでそのまま使用することができ、一般的な豆電球と同じ使い勝手を実現して利便性及び汎用性を高めることができる。
【図面の簡単な説明】
【図１】本発明の好適な実施例に係るイルミネーション発光器の縦断面図、
【図２】同イルミネーション発光器に備える基板ユニットの斜視図、
【図３】同イルミネーション発光器の電気回路図、
【図４】同イルミネーション発光器における発色パターン表、
【図５】同イルミネーション発光器の使用例を示す結線図、
【図６】同イルミネーション発光器を使用したクリスマスツリーの外観図、
【符号の説明】
１    イルミネーション発光器
２    発光部
２ｒ  赤色の発光ダイオード
２ｇ  緑色の発光ダイオード
２ｂ  青色の発光ダイオード
３    制御部
４    ハウジング部
５    バルブ部
６    口金部
１０  基板ユニット
１１  ＩＣチップ
６０  ランプソケット
Ｐｃ  発色プログラム
【図１】
2004207043.tif 000003
【図２】
2004207043.tif 000004
【図３】
2004207043.tif 000005
【図４】
2004207043.tif 000006
【図５】
2004207043.tif 000007
【図６】
2004207043.tif 000008